(57)【要約】【課題】遠方からの視認性をより向上することができる回転灯ユニット、散光式警光灯およびそれを用いた車輌を提供する。【解決手段】回転放物面状の第１の反射面と、回転放物面状の第２の反射面を有する反射部材１０と、主光源７と、主光源７の近傍に、主光源７を中心に点対称に配置された副光源８と、副光源９と、副光源８、９からの光を集光する透光性部材３２を備えた回転灯ユニットにおいて、主光源７からの光は、平行光として外部に放光され、副光源８、９からの光は透光性部材３２により集光され、照射軸が、前後方向ＦＢのときは、回転灯ユニット２ａからの回転光が水平方向に広がった光となり、照射軸が、左右側方ＬＲのときは、上下に広がった光となる。【選択図】図５
2010287370.tif 000002
【特許請求の範囲】
【請求項１】
主光源と、前記主光源位置を焦点とする環状ないし部分的な環状をなす略回転放物面状の反射部材と、前記反射部材を所定の回転軸を中心に回転させる駆動手段を備えた回転灯ユニットにおいて、前記主光源の近傍に副光源を配置し、前記反射部材は主光源および副光源を取り囲むように設けたことを特徴とする回転灯ユニット。
【請求項２】
前記反射部材は、略回転放物面状の第１の反射面と、第１の反射面の背面側に隣接して配置され、第１反射面と逆方向に、主光源位置を焦点とする環状ないし部分的な環状をなす略回転放物面状の第２の反射面とを備えたことを特徴とする請求項１記載の回転灯ユニット。
【請求項３】
前記副光源は、前記反射部材の照射軸を含む平面上に配置されていることを特徴とする請求項１または２記載の回転灯ユニット。
【請求項４】
前記副光源は、複数個配置され、主光源を中心に点対称に配置されていることを特徴とする請求項１乃至３記載の回転灯ユニット。
【請求項５】
前記副光源の照射軸上に、副光源からの光を集光し、反射部材に照射する集光部材を配置したことを特徴とする請求項１乃至４記載の回転灯ユニット。
【請求項６】
集光部材は凸部を設けた透光部材からなることを特徴とする請求項５記載の回転灯ユニット。
【請求項７】
請求項１から７の何れかに記載の回転灯ユニットを用いたことを特徴とする散光式警光灯。
【請求項８】
主光源と副光源が、散光式警光灯の長手方向に沿って設けられていることを特徴とする請求項７記載の散光式警光灯。
【請求項９】
請求項１または６記載の回転灯ユニットを搭載していることを特徴とする車輌。
【発明の詳細な説明】
【技術分野】
【０００１】
本発明は、回転灯ユニット、散光式警光灯およびそれを用いた車輌に関する。
【背景技術】
【０００２】
回転灯ユニットは、駐車場等の車輌出入口付近に設置される回転灯や、警察車輌や消防車等の緊急車輌のルーフ面上に設置される散光式警光灯に備えられ、周囲に注意喚起をするための回転光を発する。回転灯ユニットは、発光ダイオード（以下、「ＬＥＤ」という）と、ＬＥＤから照射される光を所定方向に反射する反射鏡と、反射鏡を回転させる駆動機構とを備えたものが知られている。このような回転灯ユニットとして、視認性を向上させるために、平面上に設置された照射角の狭い複数のＬＥＤを覆うように空洞状に形成された反射体と、反射体を回転させるモータを備えた回転灯ユニットや、回転放物面形状の反射面を有する反射ミラーと、反射ミラーの焦点位置に配置した照射角の広いＬＥＤを備えた回転灯ユニット等がある。
【特許文献１】実開平０３−０８０９１０号公報
【特許文献２】特開２００６−３１８８８５号公報
【０００３】
特許文献１に記載の回転灯ユニットにおいては、従来のＬＥＤの照射角が狭く、照射光量が少なかったため、平面上に複数のＬＥＤを配置し、その照射光を平面反射板で反射することで周囲への放射光量を上げ、遠方からの視認性を確保していた。その後、ＬＥＤの高輝度化と照射角が拡がったことにより単一のＬＥＤを使用した特許文献２記載の回転灯ユニットが使われるようになった。その回転灯ユニットでは、ＬＥＤを放物面状反射鏡の焦点位置に配置し、遠方からの視認性を確保していた。なお、回転灯ユニットを用いた散光式警光灯を搭載した各種車輌においては、道路維持作業車輌では周囲１５０メートル、警察車輌等の緊急自動車では前方３００メートルからの視認性が求められている。
【発明の概要】
【発明が解決しようとする課題】
【０００４】
しかしながら、広角ＬＥＤからの照射光が放物面状反射鏡により略平行光として反射されるため、遠方からその放射光を見る看者は短時間しかその光を認識することができず、視認性の向上がより望まれていた。
【課題を解決するための手段】
【０００５】
本発明は、上記のような問題に鑑みてなされたものであり、遠方からの視認性をより向上することができる回転灯ユニット、散光式警光灯およびそれを用いた車輌を提供することを目的とする。
【０００６】
上記の目的を達成するために、請求項１記載の回転灯ユニットは、主光源と、前記主光源位置を焦点とする環状ないし部分的な環状をなす略回転放物面状の反射部材と、前記反射部材を所定の回転軸を中心に回転させる駆動手段を備えた回転灯ユニットにおいて、前記主光源の近傍に副光源を配置し、前記反射部材は主光源および副光源を取り囲むように設けたことを特徴とする。本発明によれば、主光源からの光は、反射部材に照射され、平行光として回転灯ユニットの外部に放射される。そのため、遠方からの一定の視認性を確保することができる。また、副光源が反射部材の焦点位置の近傍に配置されているため、副光源からの放射光は、主光源からの放射光と重複しつつ、斜め方向にも放射される。そのため、遠方からでも、回転灯ユニットの光を全体として大きな光として視認できるようになり、より視認性を向上することができる。さらに、主光源に対する副光源の設置方向と、回転灯ユニットの照射方向との関係によって、視認場所により視認光に変化を与えることができ、より好ましい。
【０００７】
請求項２記載の発明は、請求項１の回転灯ユニットにおいて、反射部材は、略回転放物面状の第１の反射面と、第１の反射面の背面側に隣接して配置され、第１の反射面と逆方向に、主光源位置を焦点とする環状ないし部分的な環状をなす略回転放物面状の第２の反射面とを備えたことを特徴とする。本発明によれば、主光源からの光は、主光源を焦点とする略回転放物面状の第１および第２の反射面に照射される。第１および第２の反射面からの反射光は、平行光として互いに逆方向に放光される。また、副光源の光は、第１および第２の反射面に照射される。第１および第２の反射面からの反射光は、互いに逆方向に放光されるとともに、主光源からの放射光と重複しつつ、斜め方向に放射される。よって、双方向に対して請求項１記載の回転灯ユニットと同様の効果を得ることができる。
【０００８】
請求項３記載の発明は、請求項１または２記載の回転灯ユニットにおいて、前記副光源は、前記反射部材の照射軸を含む平面上に配置されていることを特徴とする。本発明によれば、主光源の反射部材からの反射光を副光源や副光源設置基板等により遮ることが低減できるから、より視認性向上に好ましい。
【０００９】
請求項４記載の発明は、請求項１乃至３記載の回転灯ユニットにおいて、前記副光源は、複数個配置され、主光源を中心に点対称に配置されていることを特徴とする。本発明によれば、主光源の放射光を中心に対称的な光を視認することができる。また、各光源が照射軸を含む同一平面上にあるとき、前方と後方および左側方と右側方とで放射光形状を同等にすることができる。
【００１０】
請求項５記載の発明は、請求項１乃至４記載の回転灯ユニットにおいて、前記副光源の照射軸上に、副光源からの光を集光し、反射部材に照射する集光部材を配置したことを特徴とする。本発明によれば、副光源からの照射光を効果的に反射部材に照射できる。そのため、反射部材に直接照射されない副光源からの光を集光することで、反射部材により反射することができるため、外部に放射される光量が増大される。よって、より視認性を高めることができる。
【００１１】
請求項６記載の発明は、請求項５記載の回転灯ユニットにおいて、集光部材は凸部を設けた透光部材からなることを特徴とする。本発明によれば、副光源からの光を限られた空間内で集光できるから好ましい。
【００１２】
請求項７記載の散光式警光灯は、請求項１から７の何れかに記載の回転灯ユニットを用いたことを特徴とする。本発明によれば、回転灯ユニットを散光式警光灯に搭載することで、散光式警光灯を搭載する緊急車輌の周囲や遠方を走行する車輌の運転手や歩行者に対してより注意喚起を促すことができる。
【００１３】
請求項８記載の散光式警光灯は、請求項７において、主光源と副光源が、散光式警光灯の長手方向に沿って設けられていることを特徴とする。本発明によれば、回転灯ユニットの照射軸が前後方向に向いたとき、散光式警光灯の前後遠方では、回転灯ユニットからの回転放射光が水平方向に広がった光となるため、その放射光を長く視認することができるから視認性に優れる。さらに、回転灯ユニットの照射軸が左右側方を向いたとき、散光式警光灯の左右側方では、回転灯ユニットからの放射光は上下に広がった光となるため、回転放射光の直接視認性を維持しつつ、車輌等に設置状態で車輌付近の道路等に回転放射光を照射できるから、その道路等を介して散光式警光灯の動作等を認識できるから好ましい。
【００１４】
請求項９記載の車輌は、請求項１または６記載の回転灯ユニットを搭載していることを特徴とする。本発明によれば、車輌の前後方向のほか、左右方向、斜め方向においても、回転放射光により車輌を認識できるから好ましい。
【図面の簡単な説明】
【００１５】
【図１】本発明の回転灯ユニットを搭載した散光式警光灯を示す図であり、図１Ａは、その平面図で、図１Ｂは、その正面図である。
【図２】本発明の回転灯ユニットの照射軸が前後方向に沿っているときの回転灯ユニットの断面図である。
【図３】透光性部材を示す図であり、図３Ａは、その平面図で、図３Ｂは、その底面図である。
【図４】図２の回転灯ユニットの透光性部材の部分拡大図である。
【図５】本発明の回転灯ユニットの照射軸が左右方向に沿っているときの回転灯ユニットの断面図である。
【図６】図５の回転灯ユニットの透光性部材の部分拡大図である。
【発明を実施するための最良の形態】
【００１６】
図１は、本発明の回転灯ユニットを搭載した散光式警光灯を車輌のルーフ上に設置した状態を示す図であり、図１Ａはその平面図であり、図１Ｂはその正面図である。散光式警光灯１は、回転動作により全周に光を発する４つの回転灯ユニット２ａ、２ｂ、２ｃ、２ｄと、回転灯ユニット２ａ、２ｂ、２ｃ、２ｄを固定するためのシャシ４と、回転灯ユニット２ａ、２ｂ、２ｃ、２ｄおよびシャシ４の上面を覆う透光性のグローブ５と、散光式警光灯１を車輌のルーフ６（図１Ｂに一点鎖線で図示）に固定するための取付ブラケット３を有する。なお、図中のＦ、Ｂ、Ｌ、Ｒ、Ｕ、Ｄは方向を示し、Ｆは前方、Ｂは後方、Ｌは左側方、Ｒは右側方、Ｕは上方、Ｄは下方を示す。
【００１７】
回転灯ユニット２ａ、２ｂ、２ｃ、２ｄは、散光式警光灯１の左右方向ＬＲに沿って設けられるシャシ４上に載置されている。なお、実施形態では平面視略Ｖ字形状の散光式警光灯を用いて説明したが、その限りでない。例えば、車輌の両肩やフロント上部に埋め込まれて用いられる埋め込み一体型の回転灯や、工場等に設置される回転警告灯などであってもよい。また、散光式警光灯１内の警光灯ユニットの全てを本発明の回転灯ユニットとする必要はなく、適宜点灯・点滅タイプの警光灯を用いてもよい。
【００１８】
図２は、本発明の回転灯ユニットの照射軸が前後方向ＦＢに沿っているときの回転灯ユニットの断面図であって、後述する主光源７、副光源８、９が左右方向ＬＲに沿った状態で設けられている。４つの回転灯ユニット２ａ、２ｂ、２ｃ、２ｄのうち回転灯ユニット２ａについて説明する。なお、回転灯ユニット２ｂ、２ｃ、２ｄについては、回転灯ユニット２ａと同様の構成を有するため、説明を省略する。回転灯ユニット２ａは、光を照射する主光源７、副光源８および副光源９と、主光源７、副光源８、９からの光を集光する透光性部材３２と、集光された光を所定方向に反射する反射部材１０と、反射部材１０を回転させる駆動機構１６を有する。
【００１９】
主光源７、副光源８、９は、発光ダイオード（以下、「ＬＥＤ」という）で、後述する固定保持部材２４の導体部分に、照射方向を上方Ｕとして電気的に接続されるとともに固定されている。主光源７は、回転中心軸線２７上に設置される。副光源８、９の設置位置は、主光源７を中心とする対称位置であって、主光源７の近傍位置である。なお、近傍位置とは、反射部材１０の反射面の大きさが高さ７０ｍｍ程度、幅１２０ｍｍ程度、各光源７、８、９のＬＥＤチップサイズが２ｍｍ程度であるとき、各光源中心間の距離が５ｍｍ程度のことをいう。
【００２０】
主光源７、副光源８、９は、散光式警光灯１の左右側方ＬＲに沿って固定され、副光源８は、主光源７の左側方Ｌに、第２の副光源は、主光源７の右側方Ｒに配置される。回転中心軸線２７は、反射部材１０の回転の中心となる軸をいう。なお、主光源７と副光源８、９の距離によって、反射部材１０により反射される光の広がり方が異なり、その結果視認性に変化を与えることができる。例えば、各光源間の距離が遠いと、より下方向および左右方向へ光を放射することができる。また、各光源間の距離が近いと、より遠方からの視認性を向上させることができる。そのため、散光式警光灯や回転警告灯の設置場所によって、主光源７と副光源８、９の距離を適宜変更してもよい。
【００２１】
反射部材１０は、主光源７、副光源８、９を覆うように取り囲む第１の反射面１１と第２の反射面１２と支持部３９を有する。第１および第２の反射面１１、１２は、主光源７の位置を焦点とし、主光源位置を通り水平に延びた照射軸を回転軸線とする回転放物面形状をなす反射面である。また、第１および第２の反射面１１、１２は、主光源７、副光源８、９と対向、且つ取り囲む部分的な環状をなしている。具体的には、逆Ｕ字形形状をなしており、主光源７、副光源８、９の左右の側方および上方を覆っている。
【００２２】
第１および第２の反射面１１、１２は、主光源７からの光を照射軸に沿って、平行に反射する。第１および第２の反射面１１、１２は、互いに回転中心軸線２７を対称軸とした線対称の関係になっており、互いの反射面の背面を隣設している。第２の反射面１２による反射光の向きが、第１の反射面１１による反射光と逆向きになるように、第１および第２の反射面１１、１２は、互いに逆向きに配置されている。支持部３９は、反射部材１０と一体として形成され、平面状の環状板１５と、環状板１５から立ち上がる柱部１３によって反射部材１０の回転を支持する。
【００２３】
駆動機構１６は、駆動源としての電動モータ１７と、電動モータ１７の回転駆動力を反射部材１０に伝達するための駆動部材１８および従動部材１９と、反射部材１０の回転を支持する回転支持機構２０からなる。駆動部材１８は、相対的に小径の円筒形状のローラであり、電動モータ１７の出力軸に固定されている。従動部材１９は、相対的に大径の弾性部材により形成された環状のリングである。駆動部材１８の外周面の係合部と従動部材１９の側面の係合部とが互いに摩擦を伴って係合することにより、駆動部材１８の回転駆動力が従動部材１９に伝達されて、反射部材１０が回転する。
【００２４】
回転支持機構２０は、反射部材１０の回転を支持するベース２１と、主光源７、副光源８、９を固定する固定保持部材２４と、反射部材１０と一体回転する回転保持部材２８からなる。ベース２１は、板状の主体部２２と、主体部２２から上方に突出した支軸２３を有しており、シャシ４に固定されている。主体部２２は、電動モータ２０を固定する平面をなす。なお、主体部２２をシャシ４と一体的に設けてもかまわない。支軸２３の中心線は、回転中心軸線２７と一致し、支軸２３は、回転保持部材２８を回転中心軸線２７周りに回転自在に保持している。
【００２５】
固定保持部材２４は、主光源７、副光源８、９を取り囲む環状の板部２５と、板部２５から径方向内方に延設された円筒部２６と、挿通口３８を有する。板部２５は、上面に主光源７、副光源８、９を保持、固定する。円筒部２６は、固定保持部材２４の中心を回転中心軸線２７位置に保持するものであって、その下部内周面を支軸２３の外周面と篏合させている。
【００２６】
回転保持部材２８は、回転保持部材２８の中心を回転中心軸線２７位置に保持する筒部３０と、筒部３０から径方向外方に延設された環状板部２９と、筒部３０と篏合する軸受３１からなる。筒部３０は、支軸２３の軸方向に延びており、筒部３０の内周が軸受３１の外周に篏合している。環状板部２９は、固定保持部材２４を取り囲む環状をなしており、反射部材１０を保持する。軸受３１は、環状の孔を有する弾性部材であり、孔には支軸２３が挿通される。軸受３１は、筒部３０の内方にあり、軸受３１の外周面と筒部３０の内周面との篏合によって回転保持部材２８の回転を保持する。
【００２７】
図３は、透光性部材を示す図であり、図３Ａは、その平面図で、図３Ｂは、その底面図である。図４は、図２の回転灯ユニットの透光性部材の部分拡大図である。透光性部材３２は、主光源７、副光源８、９を覆うように配置され、全体は円形状に形成されている。具体的には、主光源７の上方に設けられ、主光源７の照射範囲に孔を設けた孔部３３と、副光源８の上方に形成され、透光性部材３２の上面の一部が突出した第１の凸部３４と、副光源９の上方に形成され、透光性部材３２の上面の一部が突出した第２の凸部３５を有する。さらに、透光性部材３２の外縁から固定保持部材２４に向かって垂直方向に延びた周壁部３７と、その延びた周壁部３７の先端からさらに垂直方向に延び、その延びた先から外方に向かって突起を設けた一対の係止片３６を備える。
【００２８】
孔部３３は、主光源７の照射範囲に形成されており、照射方向に向かうにしたがって孔の径が大きくなる。孔部３３によって、主光源７からの光を遮らずに直接、第１および第２の反射面１１、１２に照射することができ、主光源７によって反射される光は、平行光として放光することができる。第１の凸部３４は、透光性部材３２の表面に膨らんで形成され、副光源８からの光を集光し、反射部材１０に照射する。第２の凸部３５は、第１の凸部３４と同様の形状をなし、孔部３３を中心に第１の凸部３４と対称に配置され、副光源９からの光を集光し、反射部材１０に照射する。係止片３６は、挿通口３８に挿通され、板部２５の裏面に引掛けることで、透光性部材３２を固定保持部材２４に固定する。周壁部３７は、環状に形成され、先端が固定保持部材２４の表面と当接することで透光性部材３２を支持する。透光性部材３２は、透光性を有するアクリル樹脂若しくはポリカーボネート樹脂等で形成される。
【００２９】
透光性部材３２は、周壁部３７を挟むように横方向から押圧することで、周壁部３７が内方に撓む。その撓みを利用して、係止片３６を挿通口３８に挿通し、板部２５に引掛けることで、透光性部材３２を保持する。なお、透光性部材３２は、上述したものに限定されず、第１および第２の凸部３４、３５に替えて光を拡散する凹部や光を略垂直に変換する同心円状の凹凸を形成してもよい。さらに、集光できるものであれば、主光源７、副光源８、９を囲むように環状の反射鏡を用いて集光してもよい。
【００３０】
上述した構成により、本発明の回転灯ユニットは以下のように回転発光動作を行う。電動モータ１７の回転により、電動モータ１７の出力軸に固定された駆動部材１８は一定方向に回転を開始する。駆動部材１８の外周面の係合部と環状板部２９の外周に固定された従動部材１９の側面の係合部とが互いに係合することにより、回転保持部材２８および回転保持部材２８に固定された反射部材１０が回転する。回転保持部材２８は、筒部３０と支軸２３が挿通された軸受３１の篏合により、回転中心軸線２７の周りを回転する。
【００３１】
以下、本発明の回転灯ユニット２ａの照射軸が前後方向ＦＢ、副光源８、９が左右方向ＬＲに沿って設けているときの回転灯ユニット２ａの照射イメージについて説明する。主光源７からの光は、孔部３３を通り、直接第１および第２の反射面１１、１２に照射される。第１の反射面１１に照射された光は、前方向Ｆに、照射軸に沿って、平行光として放光される。また、第２の反射面１２に照射された光は、後方向Ｂに、照射軸に沿って、平行光として放光される。
【００３２】
副光源８からの光は、第１の凸部３４により集光され、第１および第２の反射面１１、１２に照射される。第１の反射面１１に照射された副光源８の反射光は、前方向Ｆに、主光源７によって放光される光の一部と重複しつつ、照射軸の前方斜め左方向ＦＬに広がった光として放光される。また、第２の反射面１２に照射された副光源８の反射光は、後方向Ｂに、主光源７によって放光される光の一部と重複しつつ、照射軸の後方斜め左方向ＬＢに広がった光として放光される。
【００３３】
副光源９からの光は、第２の凸部３５により集光され、第１および第２の反射面１１、１２に照射される。第１の反射面１１に照射された副光源９の反射光は、前方向Ｆに、主光源７によって放光される光の一部と重複しつつ、照射軸の前方斜め右方向ＦＲに広がった光として放光される。また、第２の照射面１２に照射された服光源９の反射光は、後方向Ｂに、主光源７によって放光される光の一部と重複しつつ、照射軸の後方斜め右方向ＢＲに広がった光として放光される。よって、回転灯ユニット２ａから放光される光は、前後方向ＦＢに対して、左右方向ＬＲに広がった光として視認される。上述の構成では、副光源８、９からの光は、第１および第２の反射面１１、１２に照射されているが、これに限らず、一方の反射面にのみ照射できるように、第１および第２の凸部３４、３５の大きさ、形状を変更してもよい。
【００３４】
次に、本発明の回転灯ユニット２ａの照射軸が左右方向ＬＲ、副光源８、９が左右方向ＬＲに沿って設けているときの回転灯ユニット２ａの照射イメージについて説明する。図５は、回転灯ユニットの照射軸が左右方向に沿っているときの回転灯ユニットの断面図であり、図６は、図５の回転灯ユニットの透光性部材の部分拡大図である。主光源７からの光は、孔部３３を通り、直接第１および第２の反射面１１、１２に照射される。第１の反射面１１に照射された光は、左側方Ｌに照射軸に沿って、平行光として放光される。また、第２の反射面１２に照射された光は、右側方Ｒに照射軸に沿って、平行光として放光される。
【００３５】
副光源８からの光は、第１の凸部３４により集光され、第１および第２の反射面１１、１２に照射される。第１の反射面１１に照射された副光源８の反射光は、左側方Ｌに、主光源７によって放光される光の一部と重複しつつ、照射軸の左下方向ＬＤに広がった光として放光される。また、第２の反射面１２に照射された副光源８の反射光は、右側方Ｒに、主光源７によって放光される光の一部と重複しつつ、照射軸の右上方向ＲＵに広がった光として放光される。
【００３６】
副光源９からの光は、第２の凸部３５により集光され、第１および第２の反射面１１、１２に照射される。第１の反射面１１に照射された副光源９の反射光は、右側方Ｒに、主光源７によって放光される光の一部と重複しつつ、照射軸の右上方向ＲＵに広がった光として放光される。また、第２の照射面１２に照射された副光源９の反射光は、左側方Ｌに、主光源７によって放光される光の一部と重複しつつ、照射軸の左下方向ＬＤに広がった光として放光される。よって、回転灯ユニット２ａから放光される光は、左右方向ＬＲに対して、上下方向ＵＤに広がった光として視認される。なお、右上方向ＲＵおよび左上方向ＬＵに放光される光は、照射軸と略平行であり、僅かに上方向Ｕに向かって放光される。
【００３７】
本発明によれば、回転灯ユニット２ａの照射軸が前後方向ＦＢを向いたときには、回転灯ユニット２ａからの回転光が水平方向に広がった光となるため、緊急自動車の前後を走行する車輌の運転手は、長い時間回転灯ユニットが発する光を視認することができる。さらに、各回転灯ユニット２ａ，２ｂ，２ｃ，２ｄが回転し、その各照射軸が左右側方ＬＲを向こうとするときには、斜水平方向への照射に加え、斜上下及び左右方向にも回転放光される。また、その各照射軸が左右側面方ＬＲを向いたとき、左右方向に対しての照射に加え、上下方向にも回転放光される。したがって、遠方からの回転光の直接視認性を維持しつつ、走行する緊急自動車付近の路面、特に斜前方や側方にも回転光を照射できるから、その路面を介して周囲の車輌の運転手や歩行者等の看者は散光式警光灯１の動作等を介して、緊急車輌等の接近を認識できる。
【００３８】
透光性部材３２は、副光源８、９から反射部材１０に照射されず、外部へ漏れていた光を集光して、反射部材１０に照射しているため、光の利用効率を向上させることができる。また、透光性部材３２は、係止片３６の脱着操作により、容易に取り外しが可能となる。そのため、回転灯ユニット２ａ，２ｂ，２ｃ，２ｄに破損等が生じても新たなものを装着することができる。したがって、透光性部材の取付、交換作業を容易かつ時間を短縮して行うことができる。
【００３９】
上述の回転灯ユニット２ａ，２ｂ，２ｃ，２ｄにおいて、透光性部材３２を装着しなくてもよい。透光性部材３２は、容易に取り外しが可能であり、透光性部材３２を装着しない場合であっても、回転灯ユニット２ａ，２ｂ，２ｃ，２ｄの照射軸が、前後方向ＦＢのときは、回転光が水平方向に広がった光となる。また、回転灯ユニット２ａ，２ｂ，２ｃ，２ｄの照射軸が、左右側方ＬＲのときは、回転光が上下に広がった光となる。
【００４０】
本実施形態では複数の開口面を持つ反射鏡を用いて説明したが、単一の開口面を持つ反射部材により形成してもよい。このとき反射面は、環状板１５から延びて形成され、回転放物面形状をなす凹湾曲形状であり、主光源７、副光源８、９と対向している。反射面は、主光源７、副光源８、９の左右の側方および上方を取り囲む逆Ｕ字形形状をなしている。反射面の焦点は、主光源７の位置と一致し、主光源７からの光を照射軸に沿って、平行に反射することができる。
【００４１】
副光源８、９からの光は、回転灯ユニットの照射軸が、前後方向ＦＢで、開口面が前方Ｆに向いたときは、回転光が前方Ｆに向かって水平方向に広がった光となり、開口面が後方Ｂに向いたときは、回転光が後方Ｂに向かって水平方向に広がった光となる。また回転灯ユニットの照射軸が、左右側方ＬＲで、開口面が左側方Ｌに向いたときは、回転光が左側方に向かって上下に広がった光となり、開口面が右側方Ｒに向いたときは、回転光が右側方に向かって上下に広がった光となる。なお、反射部材は、副光源８、９を共に内包するように形成されている。
【００４２】
上述した回転灯ユニットを搭載した散光式警光灯１において、回転灯ユニット２ａ，２ｂ，２ｃ，２ｄの照射軸と主光源７、副光源８、９の位置を固定することで、以下のような効果を得ることができる。図１を参照して、散光式警光灯１の左右方向ＬＲに各光源７、８、９を配置した回転灯ユニット２ａ、２ｄと、散光式警光灯１の前後方向ＦＢに各光源７、８、９を配置した回転灯ユニット２ｂ、２ｃを搭載する。
【００４３】
右端に配置された回転灯ユニット２ｄの照射軸が左右方向ＬＲに向いたときは、上下方向ＵＤに広がった光が放光されるため、緊急自動車が走行する右側の路面を照らすことができる。よって、緊急自動車が交差点やＴ字路に進入した際に、同様に交差点やＴ字路に進入しようとする車輌の運転手は、緊急自動車の姿が見えなくても路面に照らされた光を視認することができる。左端に配置された回転灯ユニット２ａについても、回転灯ユニット２ａの照射軸が左右方向ＬＲに向いたときは、緊急自動車が走行する左側の路面を照らすことができる。
【００４４】
また、中央右側および左側に設けられた回転灯ユニット２ｂ、２ｃの照射軸が前後方向ＦＢに向いたときは、緊急自動車が走行する前後の路面を照らすことができる。このように回転灯ユニット２ａ、２ｂ、２ｃ、２ｄを組合せることで、前後左右の全周の路面を照らすことができるため、より視認性を高めることができる。なお、回転灯ユニットの組み合わせは上述したものに限らず、散光式警光灯１の前後方向ＦＢに主光源７、副光源８、９を配置した回転灯ユニット２ａ、２ｄと、散光式警光灯１の左右方向ＬＲに主光源７、副光源８、９を配置した回転灯ユニット２ｂ、２ｃを搭載してもよい。この場合、回転灯ユニット２ａ、ｄの照射軸が左右側方ＬＲに向いたときは、緊急自動車の左右側方ＬＲに水平に広がった光を照射することができる。また、回転灯ユニット２ｂ、ｃついては、回転灯ユニットの照射軸が前後方向ＦＢに向いたときは、緊急自動車の前後方向ＦＢに水平に広がった光を照射することができる。そのため、緊急自動車の左右側方を走行する車輌の運転手は長い時間光を視認することができるため、より緊急自動車の存在を知らせることができる。
【００４５】
上述の回転灯ユニットにおいて、副光源を４箇所に設置してもよい。副光源８、９は、主光源７を中心とする左右方向ＬＲに沿って対称に配置され、一対の新たな副光源は、主光源７を中心とする前後方向ＦＢに沿って対称に配置される。各副光源を前記の４箇所に配置することで、前後左右方向ＦＢＬＲに対して、上下左右に広がった光を放光することができるため、さらに視認性を向上させることができる。
【００４６】
なお、各光源は、各光源間の距離が遠いと、回転灯ユニットから放光される光は、より上下左右に広がった光を放光することができるため、光の視認時間がさらに長くなる。また、各光源間の距離が近いと、各副光源から放光される光は、主光源から照射される平行光にさらに重複した光を放光することができるため、より遠方からの視認性を向上させることができる。なお、一対の新たな副光源の光を集光するため、透光性部材３２に、新たな第３および第４の凸部を設けてもよい。この場合、第３および第４の凸部は、それぞれ新たな副光源の上方に設置され、第１および第２の凸部１１、１２と同一の形状をなす。
【符号の説明】
【００４７】
１  散光式警光灯
２ａ、２ｂ、２ｃ、２ｄ  回転灯ユニット
７  主光源
８、９  副光源
１０  反射部材
１６  駆動機構
２０  回転支持機構
２１  ベース
２４  固定保持部材
２８  回転保持部材
３２  透光性部材
３３  孔部
３４  第１の凸部
３５  第２の凸部
３９  支持部
【図１】
2010287370.tif 000003
【図２】
2010287370.tif 000004
【図３】
2010287370.tif 000005
【図４】
2010287370.tif 000006
【図５】
2010287370.tif 000007
【図６】
2010287370.tif 000008